(57)【特許請求の範囲】
【請求項１】
記録媒体を搬送する搬送手段と、
インクを吐出しながら前記記録媒体の搬送方向と垂直な方向に移動する記録ヘッドと、
前記記録ヘッドと対向する位置で前記記録媒体を保持するプラテンと、
前記プラテンに前記記録媒体を保持するための負圧を発生させるための負圧発生手段と、
前記プラテンに形成され且つ前記負圧発生手段により内部が負圧とされ、フチなし記録の際に前記記録ヘッドによって前記記録媒体からはみ出す位置に吐出されたインクを受けるフチなし溝と、
前記フチなし溝に接続される端部と前記フチなし溝から前記記録媒体の外側に向けて斜めに延びる部位を含み、前記プラテンの面に溝が露出して形成された空気流入溝と、を備え、
前記空気流入溝は前記フチなし記録の際に前記プラテンの上に位置する前記記録媒体で覆われる第１領域と前記記録媒体で覆われない第２領域を持ち、前記端部は前記第１領域に位置して前記第２領域には位置せず、且つ、前記第２領域は前記搬送方向において前記記録ヘッドの記録可能領域から離れて前記プラテンの面に形成されており、
前記空気流入溝は、前記第２領域の前記プラテンの面と平行な断面の断面積が、前記第１領域において前記端部の近傍での溝の断面の断面積よりも大きい形状を有している
ことを特徴とするインクジェット記録装置。
【請求項２】
前記フチなし溝は前記記録媒体の複数のサイズに応じた複数の位置に設けられており、前記空気流入溝は複数の前記フチなし溝のそれぞれに対応して前記搬送方向の下流側に設けられていることを特徴とする請求項１に記載のインクジェット記録装置。
【請求項３】
インクを吐出する記録ヘッドを用いて記録媒体にフチなし記録を行うことが可能なインクジェット記録装置であって、
前記記録ヘッドと対向する位置で前記記録媒体を保持するプラテンと、
前記プラテンに形成され且つ負圧発生手段により内部が負圧とされ、前記フチなし記録の際に前記記録ヘッドによって記録媒体からはみ出す位置に吐出されたインクを受けるフチなし溝と、
前記フチなし溝に接続される端部と前記フチなし溝から前記記録媒体の外側に向けて斜めに延びる部位を含み、前記プラテンの面に溝が露出して形成された空気流入溝と、を備え、
前記空気流入溝は前記フチなし記録の際に前記プラテンの上に位置する前記記録媒体で覆われる第１領域と前記記録媒体で覆われない第２領域を持ち、前記端部は前記第１領域に位置して前記第２領域には位置せず、且つ、前記第２領域は前記搬送方向において前記記録ヘッドの記録可能領域から離れて前記プラテンの面に形成されており、
前記空気流入溝は、前記第２領域の前記プラテンの面と平行な断面の断面積が、前記第１領域において前記端部の近傍での溝の断面の断面積よりも大きい形状を有している
ことを特徴とするインクジェット記録装置。
【請求項４】
前記フチなし溝は前記記録媒体の複数のサイズに応じた複数の位置に設けられており、前記空気流入溝は複数の前記フチなし溝のそれぞれに対応して前記搬送方向の下流側に設けられていることを特徴とする請求項３に記載のインクジェット記録装置。
【発明の詳細な説明】
【技術分野】
【０００１】
本発明は、吸引プラテンを備えたインクジェット記録装置に関する。
【背景技術】
【０００２】
従来、インクジェット記録装置においては、安定な記録を行うために記録媒体の表面と記録ヘッドとの間隔を一定に保持しなければならない。そのために記録媒体にインクが吐出された際に発生する皺や波打ち状の変形（以下、コックリングという）の影響で記録媒体が浮き上がるのを極力排除しなければならない。また、元々湿気等によりカールを発生している記録媒体に対しても、プラテン上から記録ヘッド方向へ向けての紙浮きを防止しなければならない。
【０００３】
これは、記録媒体に浮きが生じると、画像形成のときに記録ヘッドや記録ヘッドを装着し主走査方向に移動するキャリッジや記録部付近に設けられたガイド等が記録媒体の浮き部に接触しこすれるからである。記録ヘッドやキャリッジが記録媒体とこすれると、記録面を傷つけたり、汚したりという問題が生じ画像品位を低下させる。さらには、記録ヘッドの吐出口面（吐出口配設面）を損傷するなどの可能性もある。
【０００４】
そこで、記録ヘッドと対向する位置に吸引プラテンを設け、記録媒体のカールやコックリングを抑える構成が提案されている。吸引プラテンとは、箱状に形成された吸引箱の記録媒体接触面に多数の吸引孔を備え、
吸引箱内部を負圧にして記録媒体接触面に記録媒体を吸引させて保持するプラテンである。負圧はファンによって吸引箱内部から排気することによって発生させる（例えば、特許文献１、特許文献２参照）。
【０００５】
一方、記録媒体の搬送方向の前後の端部に余白を残さないフチなし記録を行う場合は、ロール状の記録媒体に記録媒体搬送方向に長目の画像を形成して、カッタで前後の画像部分を一部切断する。幅方向の端部に余白を残さないフチなし記録を行う場合は、記録媒体幅より広い領域に記録する構成が提案されている。
【０００６】
この場合、記録媒体幅の外側に吐出されたインクは、記録媒体を画像形成位置で保持するプラテンの記録媒体搬送面上に開口した凹部で受ける。その凹部には受けたインクを吸収するインク吸収材が設けられるものがあった。あるいは、この凹部に記録媒体保持面から下方に向かう傾斜面を形成し、廃インク貯留領域へインクを流す開口部を備えたインク受けを配置することで、フチなし記録を可能としていた（例えば、特許文献３参照）。
【０００７】
以下、図を参照して従来の吸引プラテンについて説明する。図７は、本体上面から見た従来の吸引プラテンを示す上面図であり、図８は、図７の記録媒体端部にかかるフチなし溝を拡大して示した拡大図である。
【０００８】
図７、図８において、記録媒体の裏面を保持する吸引プラテン２８は、記録媒体保持面に対して凹で形成された副走査方向に伸びる吸引溝２８ａを備えている。この吸引溝２８ａには吸引孔２８ａ１が設けられている。この吸引溝２８ａの副走査方向の幅ｙ２は、記録媒体にインクを吐出する記録ヘッド４１のノズル幅ｙ１、すなわち記録領域よりも広い形状となっている。この吸引溝２８ａに設けた２つの吸引孔２８ａ１に作用する負圧吸引力によって記録媒体Ｐｒは吸引プラテン２８に吸着される。吸引プラテン２８は、この吸引溝２８ａを主走査方向に複数配置した構成となっている。
【０００９】
また、吸引プラテン２８上の所定位置にフチなし記録を行う際に記録媒体の外側にはみ出して吐出されたインクを受けるための凹部であるフチなし溝２８ｃが形成されている。記録媒体サイズに応じて数箇所に設けられている。これらフチなし溝２８ｃは、吸引プラテン２８と一体で形成されており、記録媒体保持面に対して凹となるように形成されている。フチなし溝２８ｃに吐出されたインクは、フチなし溝２８ｃ内に設けた開口部２８ｃ１を通って不図示の廃インク貯留領域へ導入されるよう構成されている。また、このフチなし溝２８ｃ内に設けた開口部２８ｃ１は、吸引溝２８ａに設けられた吸引孔２８ａ１同様に負圧吸引力が働いている。
【特許文献１】特開昭６１−９５９６６号公報
【特許文献２】特開２００２−１７８５４２号公報
【特許文献３】特開２００３−３２６７４３号公報
【発明の開示】
【発明が解決しようとする課題】
【００１０】
しかしながら、従来の吸引プラテンを備えたインクジェット記録装置においては、以下の問題点を有していた。
【００１１】
まず、インクジェット方式の記録装置は、記録ヘッドからインク滴を吐出する際に、主滴の他に主滴よりも小さい液滴が同時に吐出されることがある。この主滴と同時に吐出された小さい液滴のことをサテライトと称する。また、サテライトとなるインク滴よりもさらに小さく霧状のインク滴が発生することもある。この霧状のインク滴をインクミストと称する。インクミストは、インク吐出に伴う記録ヘッド付近の気流に流されて、装置内を漂うことで装置内が汚れたり、記録媒体に付着することで画像品位が低下してしまうことがある。
【００１２】
従来、吸引プラテンには、フチなし記録を行うために記録媒体の外側にはみ出して吐出されたインクを受けるためのフチなし溝が、用紙サイズ毎の側端部に応じた位置に数箇所設けられている。このフチなし溝にはインクを廃インク貯留領域へ導入するための開口部が設けられている。この開口部に負圧吸引力を働かせることでインクによる開口部の目詰まりを防止する効果や、フチなし記録の際にフチなし溝内に滞留したインクミストを回収し、記録媒体の裏汚れを防止する効果がある。
【００１３】
さらに、様々な記録媒体サイズに対応した位置にフチなし溝があるため、フチなし溝に設けた開口部を他の吸引孔同様に吸引することで記録媒体がプラテンの記録媒体保持面から浮いてしまうことを防止し、安定した記録が行えるといった働きがある。
【００１４】
このフチなし溝の吸引手段は、吸引プラテンに窮設された吸引孔同様にファンによって内部から排気することで負圧を発生させており、このとき簡易な構成、低コスト、さらには騒音といった観点からも１つのファンでフチなし溝と吸引孔の吸引を行っている。そのため、記録媒体のコックリング等の浮きに必要な負圧を保とうとするとフチなし溝にも大きな吸引作用が働くこととなる。サテライトやインクミストがこの吸引によって生じる気流に影響を受け、記録媒体の外側方向に流されてしまい画像品位を低下させてしまうという問題があった。
【００１５】
そこで、本発明は、上記従来技術における課題を解決するためになされたものである。本発明は、吸引プラテンを備えたインクジェット記録装置において、フチなし溝に設けた開口部の吸引作用によって生じる記録媒体の画像品位の低下を防止したインクジェット記録装置を提供することを目的とする。
【課題を解決するための手段】
【００１６】
上記課題を解決する本発明のインクジェット記録装置の一つの形態は、記録媒体を搬送する搬送手段と、インクを吐出しながら前記記録媒体の搬送方向と垂直な方向に移動する記録ヘッドと、前記記録ヘッドと対向する位置で前記記録媒体を保持するプラテンと、前記プラテンに前記記録媒体を保持するための負圧を発生させるための負圧発生手段と、前記プラテンに形成され且つ前記負圧発生手段により内部が負圧とされ、フチなし記録の際に前記記録ヘッドによって前記記録媒体からはみ出す位置に吐出されたインクを受けるフチなし溝と、前記フチなし溝に接続される端部と前記フチなし溝から前記記録媒体の外側に向けて斜めに延びる部位を含み、前記プラテンの面に溝が露出して形成された空気流入溝とを備え、前記空気流入溝は前記フチなし記録の際に前記プラテンの上に位置する前記記録媒体で覆われる第１領域と前記記録媒体で覆われない第２領域を持ち、前記端部は前記第１領域に位置して前記第２領域には位置せず、且つ、前記第２領域は前記搬送方向において前記記録ヘッドの記録可能領域から離れて前記プラテンの面に形成されており、前記空気流入溝は、前記第２領域の前記プラテンの面と平行な断面の断面積が、前記第１領域において前記端部の近傍での溝の断面の断面積よりも大きい形状を有していることを特徴とする。
【発明の効果】
【００１７】
本発明によれば、フチなし溝に設けた開口部の吸引作用によって生じる記録媒体の画像品位の低下を防止したインクジェット記録装置を提供することが可能となる。
【発明を実施するための最良の形態】
【００１８】
以下、図面を参照して本発明の実施の形態を具体的に説明する。
【００１９】
図１は、本発明である吸引プラテンを適用したインクジェット記録装置の本体内部構成を示す斜視図であり、図２、３は、図１の本体内部構成を示す側面図である。図４は、本発明を適用したインクジェット記録装置の一実施形態を示す本体上方向から見たプラテンの上面図である。
【００２０】
図５は、図４の記録媒体端部にかかるプラテンのフチなし溝を拡大して示した拡大図であり、図６は、図５のフチなし溝を拡大して示した斜視図である。
【００２１】
図１乃至図３において、本実施形態のインクジェット記録装置１００は、回転可能に保持したロール状の記録媒体としての記録媒体Ｐｒを給紙、搬送、排紙する搬送機構２０を備えている。さらに、インクジェット記録装置１００は、給紙の際に記録媒体をガイドするための給紙ガイド２７と、保持されながら搬送される記録媒体に対し画像情報に基づいて画像形成を行う画像形成機構４０を有している。画像形成の際に記録媒体の裏面は吸引プラテン３８によって保持される。吸引プラテン３８は筐体下３０によって支持される。この筐体下３０を介して吸引ファン３７によって吸引プラテン３８に負圧を発生させる。吸引ファン３７は吸引ファンユニット３６に組み込まれて筐体下３０に接続されている。
【００２２】
排紙される記録媒体は排紙ガイド２９とダストカバーコロ３２によって排紙口にガイドされる。ダストカバーコロ３２はダストカバー３１に設けられている。
【００２３】
ロール状の記録媒体Ｐｒは、不図示のロール紙ホルダにスプール軸１１及び一対のスプールフランジにより回転自在に保持され、一方のスプールフランジをスプール軸１１に沿ってスライド可能にすることでロール状の記録媒体Ｐｒの幅方向を規制するように構成されている。
【００２４】
搬送機構２０は、画像形成のときに記録媒体Ｐｒを副走査方向に所定量ずつ搬送（紙送り）するための搬送ローラ（ＬＦローラ）２３と、これに所定加圧力によって押圧されつつ従動回転する複数個のピンチローラ２４とを備えている。不図示の給紙モータの駆動力が搬送ローラ（ＬＦローラ）２３に伝達されることによって、給紙、搬送、排紙動作が行われる。
【００２５】
画像形成機構４０は、画像形成手段（記録手段）としての記録ヘッド４１と、記録ヘッド４１を保持し記録媒体搬送方向（副走査方向）と交差（例えば直交）する方向（主走査方向）に往復移動するキャリッジ４２とを備えている。記録ヘッド４１は該記録ヘッド４１に対向する位置に配置されたプラテン３８によって保持された記録媒体に記録を行う。記録ヘッド４１は画像情報に基づいて吐出口から記録媒体Ｐｒへインクを吐出して画像形成（記録）を行うインクジェット記録ヘッドである。すなわち、記録ヘッド４１を保持するキャリッジ４２の主走査方向の往復移動に同期させて、画像データに基づくヘッド駆動信号により吐出口から記録媒体Ｐｒにインク滴を吐出して画像を形成していくように構成されている。
【００２６】
インクジェット記録装置では、この搬送機構２０によって記録媒体Ｐｒを副走査方向に所定量ずつ搬送し、記録装置４０が主走査方向の往復移動しながらインク滴を吐出することで画像の形成を行うよう構成されている。
【００２７】
複数個のダストカバーコロ３２が、ダストカバー３１の内側に主走査方向に並ぶように設けられている。ダストカバーコロ３２は吸引プラテン３８よりも搬送下流側で、吸引プラテン３８の記録媒体裏面を保持する面から垂直方向に高い位置に配置されている。
【００２８】
図４乃至図６に本実施形態の吸引プラテン３８を示す。
【００２９】
画像形成の際に記録媒体Ｐｒの裏面を保持するための吸引プラテン３８は、記録ヘッド４１（キャリッジ４２）の移動方向Ａに複数個に分割されている。本実施形態のインクジェット記録装置では、４個の吸引プラテンで構成されている。
【００３０】
各吸引プラテンは、様々な記録媒体サイズに適応するためそれぞれ違った溝配置をとっているがそれぞれ同様の作用効果を奏するので、以下では、特に断らない限り一つの吸引プラテン３８について説明し、他の吸引プラテンについてはその説明を準用する。
【００３１】
吸引プラテン３８は、その下端部に当接（密着）するシール部材としてのプラテンシールを介して密封状態固定されている。ここで、吸引プラテン３８は、長くなるほど平面度の精度維持が困難であり、成形型が高価になるなどの理由から、本実施形態では、一体化構造とはせず、前述のように主走査方向に複数個に分割して構成されている。このような構成は、画像形成装置の大型化に対しても有利である。分割された各吸引プラテンのそれぞれは実質的に同じ構成を有している。
【００３２】
吸引プラテン３８の吸引機構として、密閉された空洞の筐体下３０を介して吸引手段としての吸引ファン３７が接続されている。吸引ファン３７は、筐体下３０内部（空洞部）に通じる（連通する）吸引ファンユニット３６を介して筐体下３０の片側端部に接続されている。本実施形態では、吸引ファン３７として、少ない電力で容易に高い出力（静圧）が得られるシロッコファンが使用されている。
【００３３】
吸引プラテン３８の構成として、主走査方向Ａに連結させた副走査方向に伸びる吸引溝３８ａと、記録媒体Ｐｒの端部で記録媒体Ｐｒの内側となる所定の数箇所に副走査方向に伸びる吸引溝３８ｂが備えられている。吸引溝３８ａの副走査方向の幅ｙ２はキャリッジ４２に搭載された記録ヘッド４１のノズル幅（記録可能領域）ｙ１よりも３ｍｍ程度広く、直径３ｍｍの吸引孔３８ａ１が設けられている。また、吸引溝３８ｂの副走査方向の搬送下流側端部は、前記吸引溝３８ａの副走査方向の搬送下流側端部よりも延ばした形状となっており、直径２．５ｍｍの吸引孔３８ｂ１が設けられている。
【００３４】
また、吸引プラテン３８上の所定の数箇所には吸引プラテン３８の記録媒体保持面から凹となる凹部として形成されたフチなし溝３８ｃが備えられている。記録媒体Ｐｒが吸引プラテン３８上にあるとき、この記録媒体Ｐｒの側端部Ｐｓに位置するフチなし溝３８ｃは、一部が記録媒体Ｐｒで覆われるような溝配置となっている。フチなし溝３８ｃの主走査方向の幅ｘ２は１１．５ｍｍ程度であり、副走査方向の幅は、吸引溝３８ａの副走査方向の幅ｙ２と同幅となっている。
【００３５】
フチなし溝３８ｃは、記録媒体Ｐｒの端部に余白が生じないように記録媒体よりも広い領域に記録を行う際に、記録ヘッド４１から記録媒体Ｐｒよりはみ出す位置に吐出されたインクを受けるものである。フチなし溝３８ｃ内には、記録媒体Ｐｒに覆われた位置にインクを廃インク貯留領域へ導くための開口部３８ｃ１が設けられている。フチなし溝３８ｃのインク着弾面は受けたインクが開口部３８ｃ１に向かって流れるように主走査方向に傾斜しており、記録媒体Ｐｒの外側から内側に行くに連れて深くなるよう形成されている。
【００３６】
また、開口部３８ｃ１は、吸引溝３８ａ、３８ｂに備えられた吸引孔３８ａ１、３８ｂ１と同様に記録媒体Ｐｒを吸引プラテン３８に保持するための吸引効果も担っている。吸引力を開口部３８ｃ１に働かせることで記録ヘッド４１から吐出されたインクがこの開口部３８ｃ１で目詰まりを起こしてしまうのを防ぐ効果もある。このフチなし溝３８ｃの吸引手段は、吸引プラテン３８に窮設された吸引孔３８ａ１、３８ｂ１と同様にファンによって内部から排気することで負圧を発生させている。簡易な構成、低コスト、さらには騒音といった観点からも１つのファンで開口部３８ｃ１と吸引孔３８ａ１、３８ｂ１の吸引を行っている。
【００３７】
以上の構成により、インクジェット記録装置１００に配置された吸引ファン３７で発生された吸引負圧は、筐体下３０の空洞部、各吸引プラテン３８を介して、吸引孔３８ａ１、３８ｂ１、及び開口部３８ｃ１に導入される。そして、該吸引孔３８ａ１、３８ｂ１、及び開口部３８ｃ１に作用する負圧吸引力によって記録媒体Ｐｒは吸引プラテン３８のプラテン面に吸着される。
【００３８】
ここで、インクジェット記録装置が記録可能とする記録媒体の主走査方向の幅サイズは大小様々で、本発明の吸引プラテン３８を備えたインクジェット記録装置１００の最大記録媒体サイズは６０インチである。その記録媒体端部に位置するフチなし溝３８ｃは基準側を含め全部で１５箇所設けられており、フチなし可能な記録媒体サイズは、１０インチ、１４インチ、１６インチ、２４インチ、３６インチ、４２インチ、ＪＩＳ  Ｂ２、ＪＩＳ  Ｂ０、ＩＳＯ  Ａ０、ＩＳＯ  Ａ１である。
【００３９】
吸引プラテン３８において、これらの大小様々な記録媒体サイズに応じた負圧を確保することが大変重要である。しかし、小サイズの記録媒体を記録する際は記録媒体で覆われていない吸引孔３８ａ１、３８ｂ１、及び開口部３８ｃ１から負圧が漏れてしまうため記録媒体にかかる負圧が最大サイズの記録媒体の時に比べて下がってしまう。この負圧が弱いと記録媒体に浮きが生じてしまい、画像形成の際のインク着弾位置がズレ、画像に色ムラが生じてしまう。さらに、記録ヘッド４１やキャリッジ４２との接触が生じ画像品質を損ねるだけでなく、記録媒体が排紙口から機外に排出されずに機内で滞留しジャムに至ることになる。さらに、記録媒体を自動カットする際にもコシの弱い記録媒体などはこの負圧が弱いとカット不良を起こしてしまう。
【００４０】
吸引プラテン３８を備えたインクジェット記録装置１００では、前述のとおり記録ヘッド４１と記録媒体Ｐｒの距離を一定に保持するために記録媒体Ｐｒの裏面に吸引プラテン３８を設け、負圧発生手段でプラテンに負圧を発生させている。また、吸引プラテン３８の数箇所にフチなし溝３８ｃを設けることでフチなし記録を可能にしている。そのため、記録時に搬送された記録媒体Ｐｒの左右端部にはフチなし溝３８ｃが存在し、プラテン上の空気を吸引している。
【００４１】
フチなし溝３８ｃは記録媒体Ｐｒに一部覆われ、残りの部分は開放されている。そのために、記録媒体Ｐｒをプラテン面に吸着させるために必要な負圧を維持しようとすると、フチなし溝３８ｃに流入する空気の風速、あるいは風量を大きくしなければならない。このようにフチなし溝３８ｃから吸引する空気量を大きくすると、主滴に比べ粒径が小さいサテライトやインクミストは、着弾位置が主滴から大きく記録媒体Ｐｒの外側方向に流されてしまう。その結果、画像品位を低下させたり、余白部に着弾してしまうという問題があった。
【００４２】
この問題を解決するために、記録媒体端部となるフチなし溝３８ｃの風速あるいは風量を下げることで画像品位の低下を防止することを本発明は提案する。
【００４３】
吸引によってフチなし溝３８ｃに発生する記録領域ｙ１の風速をＶｃ１とすると、この風速Ｖｃ１はサテライトやインクミストに大きな影響を及ぼす。そこで、本発明のインクジェット記録装置１００では、この風速Ｖｃ１を下げるために、フチなし溝３８ｃの記録媒体の搬送方向下流側にプラテン面から凹となるように空気の流入口となる空気流入溝３８ｄを設けた。
【００４４】
空気流入溝３８ｄの一端は、プラテン上にある記録媒体Ｐｒに覆われた位置でフチなし溝３８ｃと連通している。空気流入溝３８ｄは、記録ヘッドによる記録が可能な領域ｙ１に対して記録媒体Ｐｒの搬送方向Ｂの下流側で記録媒体Ｐｒに覆われていない記録媒体Ｐｒの外側となる位置まで延びている。空気流入溝３８ｄの記録媒体Ｐｒに覆われていない下流側の他の一端は、記録ヘッドによる記録が可能な領域ｙ１から下流側に離間した位置で開放した空気の取り入れ口（空気導入口）となる。
【００４５】
このとき吸引によって記録媒体Ｐｒの外側の空気流入溝３８ｄに発生する風速をＶｃ２とする。本実施形態では、記録媒体Ｐｒに覆われた位置に形成した空気流入溝３８ｄを記録領域ｙ１から副走査方向の搬送下流側に５ｍｍ程度延ばし、そこから記録媒体Ｐｒに覆われていない記録媒体Ｐｒの外側方向に向けて斜めに空気流入溝３８ｄを形成している。このとき記録媒体Ｐｒの外側にできた空気の取り入れ口をプラテン上の記録領域ｙ１から搬送方向下流側に遠ざけることで、空気流入溝３８ｄへ流れ込む空気の気流によって受けるサテライトやインクミストの影響を小さくした。この記録媒体Ｐｒの外側にできた空気の流入口よりプラテン上の空気を吸引することで、フチなし溝３８ｃに設けた開口部３８ｃ１に流れ込む空気を分散させることができる。その結果、記録領域ｙ１にかかる風速Ｖｃ１を抑えることが可能となる。
【００４６】
空気流入溝３８ｄのフチなし溝３８ｃに近い空気導入路３８ｄ１は記録媒体Ｐｒに覆われ、断面積３８Ｄ１は小さくなっている。この空気導入路３８ｄ１の断面積３８Ｄ１を変えることにより、フチなし溝３８ｃの記録領域ｙ１にかかる風速Ｖｃ１の値を調整することが可能となる。
【００４７】
また、空気流入溝３８ｄの記録媒体Ｐｒに覆われていない空気取入口３８ｄ２の断面積３８Ｄ２は空気流入路３８ｄ１の断面積３８Ｄ１よりも大きくなるような形状となっている。断面積３８Ｄ２と断面積３８Ｄ１のこの大小関係は、記録媒体Ｐｒの環境差による伸縮、斜行や記録媒体セット時のズレが生じても変らないように値が設定されている。
【００４８】
ここで、吸引プラテンを備えたインクジェット記録装置では色の濃い画像をフチなし記録した際に記録ヘッド４１から発生したインクミストが記録媒体の裏面に付着してしまうという問題がある。この裏汚れは、フチなし溝３８ｃの記録領域ｙ１の風速Ｖｃ１を０．６ｍ／ｓ以下に下げると悪化するといったことが確認されている。また、サテライトやインクミストはフチなし溝３８ｃの記録領域ｙ１の風速Ｖｃ１が１．４ｍ／ｓ以上になると着弾位置が主滴から大きく記録媒体Ｐｒの外側方向に流されてしまうといったことが確認されている。
【００４９】
そこで本実施形態では、フチなし溝３８ｃの記録媒体Ｐｒの内側となる位置の空気流入路３８ｄ１の幅ｘ１を１．５ｍｍ、プラテン通紙面からの深さｚ１を１ｍｍとした。その結果フチなし溝３８ｃの記録領域ｙ１にかかる風速Ｖｃ１は約０．７〜１．０ｍ／ｓとなった。こうすることでフチなし記録を行った際に生じる記録媒体の裏汚れとサテライトの着弾ズレによる画像品位の低下を防止することを可能とした。
【００５０】
以上説明したように、本発明によれば、フチなし溝３８ｃに設けた開口部３８ｃ１の吸引作用によって生じる記録領域ｙ１の風速Ｖｃ１を０．７ｍ／ｓ〜１．０ｍ／ｓに抑えることで、記録の際に発生するサテライトやインクミストの着弾ズレを防止することが可能となる。また、フチなし記録を行った際に記録媒体裏面にインクミストが付着してしまうことを防止することが可能となる。また、１つのファンで吸引溝３８ａ、３８ｂに設けられた吸引孔３８ａ１、３８ｂ１、及びフチなし溝３８ｃに設けられた開口部３８ｃ１の吸引を行うことでコストが削減され、さらには騒音値も下げることが可能となる。よって、記録媒体Ｐｒの画像品位の低下を防止したインクジェット記録装置を提供することが可能となる。
【図面の簡単な説明】
【００５１】
【図１】本発明を適用したインクジェット記録装置の本体内部構成を示す斜視図である。
【図２】図１の本体内部構成を示す側面図である。
【図３】図１の本体内部構成を示す側面図である。
【図４】図１の本体上面から見た吸引プラテンを示す上面図である。
【図５】図４のフチなし溝を拡大して示した拡大図である。
【図６】図４のフチなし溝を拡大して示した斜視図である。
【図７】従来のインクジェット記録装置の本体上面から見た吸引プラテンを示す上面図である。
【図８】図７のフチなし溝を拡大して示した拡大図である。
【符号の説明】
【００５２】
２０  搬送機構
３７  吸引ファン
３８  吸引プラテン
３８ａ  吸引溝１
３８ｂ  吸引溝２
３８ｃ  フチなし溝
３８ｃ１  フチなし溝の開口部
３８ｄ  空気流入溝
４０  画像形成機構
４１  記録ヘッド
４２  キャリッジ
Ｐｒ  記録媒体
【図１】
0004785634.tif 000002
【図２】
0004785634.tif 000003
【図３】
0004785634.tif 000004
【図４】
0004785634.tif 000005
【図５】
0004785634.tif 000006
【図６】
0004785634.tif 000007
【図７】
0004785634.tif 000008
【図８】
0004785634.tif 000009